(57)【要約】【課題】回動リング部の回動操作量を保持するための遊技者の負担を低減することができる遊技機用の操作ハンドルを提供すること。【解決手段】遊技機用の操作ハンドル１は、固定ベース部２と、固定ベース部２に対して回動操作して遊技球の発射強度を調節するための回動リング部３と、回動リング部３を初期位置へ回動復帰するよう付勢する付勢部材４とを有している。付勢部材４は、鋼帯４０をロール状に形成した鋼帯巻付バネ４Ａからなる。鋼帯巻付バネ４Ａのロール状の本体部４１は、固定ベース部２に配置してあり、本体部４１から引き出した鋼帯４０の外周端部４２は、回動リング部３に取り付けてある。【選択図】図１
2009153669.tif 000002
【特許請求の範囲】
【請求項１】
固定ベース部と、該固定ベース部に対して回動操作して遊技球の発射強度を調節するための回動リング部と、該回動リング部を初期位置へ回動復帰するよう付勢する付勢部材とを有する遊技機用の操作ハンドルにおいて、
上記付勢部材は、鋼帯をロール状又は渦巻状に形成した鋼帯巻付バネからなると共に、該鋼帯巻付バネのロール状又は渦巻状の本体部を、上記固定ベース部と上記回動リング部とのいずれか一方に配設し、上記鋼帯の端部を、上記固定ベース部と上記回動リング部との他方に取り付けてなることを特徴とする遊技機用の操作ハンドル。
【請求項２】
請求項１において、上記鋼帯巻付バネは、自由状態で上記鋼帯がロール状に維持された定トルクバネであり、
該定トルクバネは、そのロール状の本体部を上記固定ベース部に設けた支持突起部に対して空転可能な状態で配置すると共に、上記鋼帯の外周端部を、上記回動リング部の中心に形成された中心軸部又は上記回動リング部の回動を受けて回動する回動体に取り付けてなり、かつ、上記回動リング部の回動操作を受けて上記鋼帯の外周端部が上記中心軸部の外周又は上記回動体の外周に巻き付けられたとき、上記自由状態に復帰しようとする力によって、上記回動リング部を初期位置へ回動復帰させる付勢力を発生させるよう構成してあることを特徴とする遊技機用の操作ハンドル。
【請求項３】
請求項１において、上記鋼帯巻付バネは、鋼帯を渦巻状に形成したぜんまいバネであり、
該ぜんまいバネは、その渦巻状の本体部を上記回動リング部の中心に形成された中心軸部の回りに配置すると共に、上記鋼帯の内周端部を、上記固定ベース部と上記回動リング部とのいずれか一方の中心に形成された中心軸部に取り付け、上記鋼帯の外周端部を、上記固定ベース部と上記回動リング部との他方に形成された係止部に取り付けてなり、かつ、上記回動リング部の回動操作を受けて上記渦巻状の鋼帯がより多くねじられたとき、元の渦巻状に復帰しようとする力によって、上記回動リング部を初期位置へ回動復帰させる付勢力を発生させるよう構成してあることを特徴とする遊技機用の操作ハンドル。
【発明の詳細な説明】
【技術分野】
【０００１】
本発明は、遊技機における遊技球の発射強度を調節するための操作ハンドルに関する。
【背景技術】
【０００２】
パチンコ遊技機等の遊技機において、遊技者が遊技球の発射強度を調節するために設けた操作ハンドルは、固定ベース部と、固定ベース部に対して回動操作する回動リング部とを有しており、トーションバネ（ねじりコイルバネ）を用いて、回動リング部を初期位置へ回動復帰するよう付勢している。このような操作ハンドルは、例えば、特許文献１のパチンコ機に開示されている。
【０００３】
ところが、トーションバネを用いて回動リング部を初期位置へ回動復帰させる構造にすると、回動リング部に加わる付勢力は、その回動操作量が大きくなるほどトーションバネに発生する反発力（回動復帰力）が比例的に大きくなる。そのため、回動操作量が大きくなったときには、遊技者がその回動操作量を保持する力も大きくする必要があり、特に、遊技者が長時間続けて遊技を行う場合には、その負担も大きくなっていた。
【０００４】
なお、例えば、特許文献２においては、複数枚の板ばねが重ねて巻かれた主ドラムと、上記板ばねを引き出して反り返すように巻き取る従ドラムとを備えた定トルクばね装置が開示されている。これによれば、必要なトルクが得られると共に、耐久性のあるばね装置を構成することができる。
しかしながら、特許文献２の定トルクばね装置は、遊技機用の操作ハンドルに用いることは想定されておらず、この場合には、更なる工夫が必要とされる。
【０００５】
【特許文献１】特開２００６−６８４５１号公報
【特許文献２】実開平７−８６５３号公報
【発明の開示】
【発明が解決しようとする課題】
【０００６】
本発明は、かかる従来の問題点に鑑みてなされたもので、回動リング部の回動操作量を保持するための遊技者の負担を低減することができる遊技機用の操作ハンドルを提供しようとするものである。
【課題を解決するための手段】
【０００７】
本発明は、固定ベース部と、該固定ベース部に対して回動操作して遊技球の発射強度を調節するための回動リング部と、該回動リング部を初期位置へ回動復帰するよう付勢する付勢部材とを有する遊技機用の操作ハンドルにおいて、
上記付勢部材は、鋼帯をロール状又は渦巻状に形成した鋼帯巻付バネからなると共に、該鋼帯巻付バネのロール状又は渦巻状の本体部を、上記固定ベース部と上記回動リング部とのいずれか一方に配設し、上記鋼帯の端部を、上記固定ベース部と上記回動リング部との他方に取り付けてなることを特徴とする遊技機用の操作ハンドルにある（請求項１）。
【０００８】
本発明の遊技機用の操作ハンドルにおいては、回動リング部を回動復帰させるための付勢部材が、鋼帯をロール状又は渦巻状に形成した鋼帯巻付バネからなる。そして、鋼帯巻付バネのロール状又は渦巻状の本体部は、固定ベース部と回動リング部とのいずれか一方に配設してあり、本体部から引き出した鋼帯の端部は、固定ベース部と回動リング部との他方に取り付けてある。
【０００９】
これにより、従来の操作ハンドルにおいては、回動リング部の回動操作によってトーションバネがねじられる際には、その回動操作量に比例して、回動リング部に加わる回動復帰力が決定されるのに対し、本発明の操作ハンドルにおいては、回動リング部の回動操作によって、ロール状の本体部に対して鋼帯の端部を引き出す際、又は渦巻状の本体部をより多くねじる際には、その回動操作量によって、回動リング部に加わる回動復帰力が比例的に増加することを防止することができる。
そのため、回動リング部の回動操作量が大きくなった場合でも、付勢部材としての鋼帯巻付バネによる付勢力に抗して、回動操作量を保持するための遊技者の負担を低減することができる。
【００１０】
それ故、本発明の遊技機用の操作ハンドルによれば、回動リング部の回動操作量を保持するための遊技者の負担を低減することができる。
【発明を実施するための最良の形態】
【００１１】
上述した本発明における好ましい実施の形態につき説明する。
本発明において、上記ロール状に形成した鋼帯巻付バネとは、鋼帯を巻き付けた自由状態で周方向に隣接する鋼帯同士が密着する状態をいい、上記渦巻状に形成した鋼帯巻付バネとは、鋼帯を巻き付けた自由状態で周方向に隣接する鋼帯同士の間に隙間を形成する状態をいう。
【００１２】
また、上記鋼帯巻付バネは、自由状態で上記鋼帯がロール状に維持された定トルクバネとし、該定トルクバネは、そのロール状の本体部を上記固定ベース部に設けた支持突起部に対して空転可能な状態で配置すると共に、上記鋼帯の外周端部を、上記回動リング部の中心に形成された中心軸部又は上記回動リング部の回動を受けて回動する回動体に取り付け、かつ、上記回動リング部の回動操作を受けて上記鋼帯の外周端部が上記中心軸部の外周又は上記回動体の外周に巻き付けられたとき、上記自由状態に復帰しようとする力によって、上記回動リング部を初期位置へ回動復帰させる付勢力を発生させるよう構成することが好ましい（請求項２）。
【００１３】
この場合には、ロール状の本体部に対して鋼帯の外周端部を引き出す量に拘らず、ほとんど一定の巻取り力を発生させることができる定トルクバネを用いることにより、特に回動操作量が大きくなったときの遊技者の負担を大幅に低減することができる。
また、定トルクバネは、自由状態において鋼帯がロール状に維持されているため、そのロール状の本体部を、固定ベース部に設けた支持突起部に対して空転可能な状態で配置することが容易である。これにより、付勢部材としての鋼帯巻付バネが操作ハンドルにおいて占めるスペースを小さくすることができる。
また、定トルクバネを用いることにより、トーションバネを用いる際に回動リング部との間に発生していた摩擦力をなくすこともできる。
【００１４】
また、上記鋼帯巻付バネは、鋼帯を渦巻状に形成したぜんまいバネとし、該ぜんまいバネは、その渦巻状の本体部を上記回動リング部の中心に形成された中心軸部の回りに配置すると共に、上記鋼帯の内周端部を、上記固定ベース部と上記回動リング部とのいずれか一方の中心に形成された中心軸部に取り付け、上記鋼帯の外周端部を、上記固定ベース部と上記回動リング部との他方に形成された係止部に取り付け、かつ、上記回動リング部の回動操作を受けて上記渦巻状の鋼帯がより多くねじられたとき、元の渦巻状に復帰しようとする力によって、上記回動リング部を初期位置へ回動復帰させる付勢力を発生させるよう構成することもできる（請求項３）。
【００１５】
この場合には、鋼帯を渦巻状に形成したぜんまいバネを用いることにより、回動リング部の回動操作量によって、回動リング部に加わる回動復帰力が比例的に増加することを容易に防止することができる。
【実施例】
【００１６】
以下に、本発明の遊技機用の操作ハンドルにかかる実施例につき、図面を参照して説明する。
（実施例１）
本例の遊技機用の操作ハンドル１は、図１、図２に示すごとく、固定ベース部２と、固定ベース部２に対して回動操作して遊技球の発射強度を調節するための回動リング部３と、回動リング部３を初期位置へ回動復帰するよう付勢する付勢部材４とを有している。付勢部材４は、鋼帯４０をロール状に巻き付けて形成した鋼帯巻付バネ４からなる。鋼帯巻付バネ４のロール状の本体部４１は、固定ベース部２に配置してあり、本体部４１から引き出した鋼帯４０の外周端部４２は、回動リング部３に取り付けてある。
なお、図２は、初期位置にある回動リング部３を示し、同図において、発射強度を強くするために回動リング部３を回動させる方向を矢印Ｃによって表す。
【００１７】
以下に、本例の遊技機用の操作ハンドル１につき、図１〜図５を参照して詳説する。
本例の遊技機はパチンコ遊技機であり、パチンコ遊技機内に設けた制御装置は、回動リング部３の回動操作量に応じて、パチンコ遊技機における球発射装置を操作して、遊技盤の遊技領域へ発射する遊技球の発射強度を調整するよう構成されている。
図１に示すごとく、本例の固定ベース部２は、パチンコ遊技機の前面側に設けた前面パネルに固定する筒状ケース部２１と、この筒状ケース部２１の前面側に一体成形し、遊技者の指先部分が接触する凸面状ケース部２２とを有している。凸面状ケース部２２の内部の前面側には、回動リング部３を間に挟む状態で、後述するキャップ部２６を固定ベース部２に固定するための固定用支柱２３が複数形成してある。
【００１８】
図２に示すごとく、回動リング部３の円盤状本体部３１には、固定用支柱２３との干渉を避けるための円弧状の逃げ溝３１１が形成してある。逃げ溝３１１は、円盤状本体部３１の周方向において互いに対向する２箇所に、中心軸部３２を円中心とする円弧状に形成してあり、固定用支柱２３の先端部は、各逃げ溝３１１内にそれぞれ配置されている。
【００１９】
図１に示すごとく、回動リング部３は、遊技者の指が接触するリング部３３を外周に形成してなる円盤状本体部３１と、この円盤状本体部３１の中心部に形成し、固定ベース部２の中心に形成した回動支持部２５に対して軸支される中心軸部３２とを有している。リング部３３における周方向の適宜箇所には、遊技者の指を係止することができる操作突起部３４が形成されている。
回動リング部３に対する前面側には、遊技者の掌が接触するキャップ部２６が配置してあり、本例のキャップ部２６は、固定ベース部２の後面側から固定用支柱２３内に挿通したビスを当該キャップ部２６に螺合することによって、固定ベース部２に対して固定した。そして、回動リング部３の中心軸部３２は、固定ベース部２及びキャップ部２６に対して軸支した。なお、キャップ部２６は、回動リング部３に対して固定することもできる。
【００２０】
図２に示すごとく、本例の鋼帯巻付バネ４は、自由状態で鋼帯４０がロール状に密着巻きされた定トルクバネ４Ａである。この定トルクバネ４Ａのロール状の本体部４１は、固定ベース部２に設けた支持突起部２４に対して空転可能な状態で配置してある。定トルクバネ４Ａの外周側から引き出した鋼帯４０の外周端部４２は、回動リング部３の中心軸部３２の回りに形成された係止部３２２に取り付けてある。そして、定トルクバネ４Ａは、回動リング部３の回動操作を受けて鋼帯４０の外周端部４２が中心軸部３２の外周に巻き付けられたとき、元の自由状態に復帰しようとする力によって、回動リング部３を初期位置へ回動復帰させる付勢力を発生させるよう構成されている。
【００２１】
図１、図２に示すごとく、本例の支持突起部２４は、凸面状ケース部２２の内部の前面側において、固定用支柱２３と並ぶ支柱として形成してある。そして、支持突起部２４の先端部は、逃げ溝３１１内に配置してあり、本例の定トルクバネ４Ａの本体部４１は、その中心穴４１０内に、支持突起部２４の先端において縮径して形成した突起先端部２４１を配置することによって、支持突起部２４に対して空転可能な状態で配置してある。また、キャップ部２６の裏面側（後面側）には、支持突起部２４の突起先端部２４１に対向して、定トルクバネ４Ａの抜け防止を行うための抜け防止用リブ２６１が形成してある。
【００２２】
図２に示すごとく、本例の定トルクバネ４Ａの鋼帯４０の外周端部４２は、回動リング部３を回動操作したときに、本体部４１における鋼帯４０の巻付方向に対して、中心軸部３２の外周に巻き付ける方向が逆方向になる状態で、中心軸部３２の外周に固定してある。そして、中心軸部３２の外周には、本体部４１と中心軸部３２とに巻き付けられる状態が８の字を形成する状態（Ｎ型状）に鋼帯４０の外周端部４２が巻き付けられる。
また、定トルクバネ４Ａの鋼帯４０の外周端部４２は、回動リング部３が初期位置にあるときに、回動リング部３の中心軸部３２の外周に接触した（所定量巻き付けられた）状態で固定してある。これにより、回動リング部３の回転モーメントが安定し、初期位置から回動リング部３を回動操作する際に違和感が生じることを防止することができる。
【００２３】
なお、図示は省略するが、定トルクバネ４Ａの鋼帯４０の外周端部４２は、回動リング部３を回動操作したときに、本体部４１における鋼帯４０の巻付方向に対して、中心軸部３２の外周に巻き付ける方向が同方向になる状態で、中心軸部３２の外周に固定することもできる。この場合には、中心軸部３２の外周には、本体部４１と中心軸部３２とに巻き付けられる状態がＣ型を形成する状態に鋼帯４０の外周端部４２が巻き付けられる。
【００２４】
図３に示すごとく、回動リング部３は、樹脂部材に導通性を有する金属のメッキを施して形成してあり、当該回動リング部３に遊技者が接触したときの静電容量の変化を検出するタッチセンサ５の検出部５１の機能を有している。そして、タッチセンサ５は、固定ベース部２内に設けたセンサアンプ部５２によって、回動リング部３に遊技者の手が触れたことによって生じる電流変化を検出して、操作ハンドル１を遊技者が操作していることを検出するよう構成されている。
【００２５】
図３、図４に示すごとく、回動リング部３の回動操作量は、固定ベース部２内に設けた可変抵抗器６１によって検出可能である。回動リング部３の中心軸部３２の外周には、ギヤ部３２１が形成してあり、固定ベース部２内には、ギヤ部３２１と噛合する伝達ギヤ６２が設けてある。伝達ギヤ６２の軸部は、可変抵抗器６１の入力軸に連結してあり、回動リング部３の回動操作量は、伝達ギヤ６２を介して可変抵抗器６１によって検出することができる。このように、伝達ギヤ６２を用いて、回動リング部３の中心軸部３２と可変抵抗器６１の入力軸とをずらしたことにより、回動リング部３に加わる力（特にスラスト荷重）が、可変抵抗器６１に直接作用することを防止することができる。
【００２６】
また、図４に示すごとく、固定ベース部２には、球発射装置による遊技球の発射を停止するための発射停止スイッチ７が設けてある。この発射停止スイッチ７は、遊技者によって操作するためのスイッチ操作部７１と、スイッチ操作部７１の操作を検出するスイッチセンサ部７２とからなる。そして、遊技者によるスイッチ操作部７１の操作を受けてスイッチセンサ部７２が操作を検出したときには、パチンコ遊技機における制御装置は、回動リング部３の回動操作量に拘らず、球発射装置からの遊技球の発射を停止させるよう構成されている。
【００２７】
また、図２に示すごとく、鋼帯４０の外周端部４２を巻き付ける中心軸部３２の外周は、回動リング部３の回動操作量が大きくなるほど、鋼帯４０の外周端部４２が巻き付けられる周方向部位の外径が小さくなるカム形状Ｄ（同図において点線で示す。）に形成することができる。この場合には、回動操作量が大きくなるほど、回動リング部３の外径と中心軸部３２の外径と比を大きくし、モーメント効果を増大させて、回動リング部３を保持する力を小さくできるようにすることができる。
【００２８】
本例の遊技機用の操作ハンドル１においては、回動リング部３を回動復帰させるための付勢部材４が、鋼帯４０をロール状に巻き付けて形成した鋼帯巻付バネ４としての定トルクバネ４Ａからなる。これにより、従来の操作ハンドルにおいては、回動リング部３の回動操作によってトーションバネがねじられる際には、その回動操作量に比例して、回動リング部３に加わる回動復帰力が決定されるのに対し、本例の操作ハンドル１においては、回動リング部３の回動操作によってロール状の本体部４１に対して鋼帯４０の外周端部４２を引き出す際には、その回動操作量に拘らず、回動リング部３に加わる回動復帰力をほとんど一定に保つことができる。
そのため、回動リング部３の回動操作量が大きくなった場合でも、回動操作量を保持するための遊技者の負担を従来の操作ハンドルと比較して低減することができる。
【００２９】
特に、本例においては、ロール状の本体部４１に対して鋼帯４０の外周端部４２を引き出す量に拘らず、ほとんど一定の巻取り力を発生させることができる定トルクバネ４Ａを用いることにより、特に回動操作量が大きくなったときの遊技者の負担を大幅に低減することができる。
また、定トルクバネ４Ａは、自由状態において鋼帯４０がロール状に密着巻きされた状態が維持されているため、そのロール状の本体部４１を、固定ベース部２に設けた支持突起部２４に対して空転可能な状態で配置することが容易である。これにより、付勢部材４としての定トルクバネ４Ａが操作ハンドル１において占めるスペースを小さくすることができる。
また、定トルクバネ４Ａを用いることにより、従来のトーションバネを用いる際には、このトーションバネと回動リング部３との間に発生していた摩擦力をなくすこともできる。
【００３０】
それ故、本例の遊技機用の操作ハンドル１によれば、回動リング部３の回動操作量を保持するための遊技者の負担を低減することができる。
【００３１】
また、図５に示すごとく、定トルクバネ４Ａは、そのロール状の本体部４１を、固定ベース部２内に設けた支持突起部２４に対して空転可能な状態で配置し、その鋼帯４０の外周端部４２を、回動リング部３の回動を受けて回動する伝達ギヤ６２と同軸状に設けた回動体６２１の外周に巻き付けた状態でこの回転体６２１に固定することもできる。この場合には、回動リング部３に対する前面側のスペースを大きく確保することができる。また、この場合には、定トルクバネ４Ａ、伝達ギヤ６２及び可変抵抗器６１を１つの部材に配設してユニット化し、このユニット化したものを、固定ベース部２内に取り付けることもできる。これにより、定トルクバネ４Ａの組付性、特に鋼帯４０の外周端部４２を取り付ける作業を向上させることができる。
なお、鋼帯巻付バネ４は、回動リング部３の円盤状本体部３１の後面側に設けることもできる。この場合には、操作ハンドル１内において、回動リング部３に対する前面側のスペースを大きくすることができる。そのため、空いたスペースに電飾基板等を内蔵して電飾効果を高めることもできる。
【００３２】
（実施例２）
本例は、図６〜図９に示すごとく、上記鋼帯巻付バネ４として、上述した定トルクバネ４Ａを用いる代わりに、鋼帯４０を渦巻状に巻き付けたぜんまいバネ４Ｂを用いた例である。
図６、図７に示すごとく、本例のぜんまいバネ４Ｂの渦巻状の本体部４１は、回動リング部３の中心に形成された中心軸部３２の回りに配置してある。また、本例のぜんまいバネ４Ｂは、その内周側から引き出した鋼帯４０の内周端部４３を、回動リング部３の中心に形成された中心軸部３２に取り付け、その外周側から引き出した鋼帯４０の外周端部４２を、固定ベース部２に形成された支持突起部２４の係止部２４２に取り付けてなる。
そして、本例のぜんまいバネ４Ｂは、回動リング部３の回動操作を受けて渦巻状の鋼帯４０がより多くねじられたとき、元の渦巻状に復帰しようとする力によって、回動リング部３を初期位置へ回動復帰させる付勢力を発生させるよう構成されている。
【００３３】
また、ぜんまいバネ４Ｂは、図８、図９に示すごとく、その内周側から引き出した鋼帯４０の内周端部４３を、固定ベース部２の中心に形成された中心軸部３２に取り付け、その外周側から引き出した鋼帯４０の外周端部４２を、回動リング部３に形成された突起部３５の係止部３５１に取り付けることもできる。この場合、固定ベース部２内に中心軸部２７を形成し、この中心軸部２７に対して回動リング部３の中心軸部３２を回動可能に支持することができる。
【００３４】
本例においては、鋼帯巻付バネ４として鋼帯４０を渦巻状に巻き付けたぜんまいバネ４Ｂを用いることにより、回動リング部３の回動操作量によって、回動リング部３に加わる回動復帰力が比例的に増加することを容易に防止することができる。
本例においても、その他の構成は上記実施例１と同様であり、上記実施例１と同様の作用効果を得ることができる。
【図面の簡単な説明】
【００３５】
【図１】実施例１における、操作ハンドルにおける鋼帯巻付バネの周辺を、側方から見た状態で示す断面説明図。
【図２】実施例１における、操作ハンドルにおける回動リング部の前面側を、正面から見た状態で示す断面説明図。
【図３】実施例１における、操作ハンドルにおける他の部位の周辺を、側方から見た状態で示す断面説明図。
【図４】実施例１における、操作ハンドルにおける固定ベース部内を、正面から見た状態で示す断面説明図。
【図５】実施例１における、他の操作ハンドルにおける固定ベース部内を、正面から見た状態で示す断面説明図。
【図６】実施例２における、操作ハンドルにおける鋼帯巻付バネの周辺を、側方から見た状態で示す断面説明図。
【図７】実施例２における、操作ハンドルにおける回動リング部の前面側を、正面から見た状態で示す断面説明図。
【図８】実施例２における、他の操作ハンドルにおける鋼帯巻付バネの周辺を、側方から見た状態で示す断面説明図。
【図９】実施例２における、他の操作ハンドルにおける回動リング部の前面側を、正面から見た状態で示す断面説明図。
【符号の説明】
【００３６】
１  操作ハンドル
２  固定ベース部
２３  固定用支柱
２４  支持突起部
３  回動リング部
３１１  逃げ溝
３２  中心軸部
４  鋼帯巻付バネ（付勢部材）
４Ａ  定トルクバネ
４Ｂ  ぜんまいバネ
４１  本体部
４０  鋼帯
４２  外周端部
４３  内周端部
【図１】
2009153669.tif 000003
【図２】
2009153669.tif 000004
【図３】
2009153669.tif 000005
【図４】
2009153669.tif 000006
【図５】
2009153669.tif 000007
【図６】
2009153669.tif 000008
【図７】
2009153669.tif 000009
【図８】
2009153669.tif 000010
【図９】
2009153669.tif 000011